(57)【要約】【課題】漏れを防止するとともに、快適な装着感のトランクス型おむつを提供する。【解決手段】装着者の腹側に位置する腹側部１１と、背側に位置する背側部１２と、これらの間であって装着者の股下に位置する股下部１３と、股下部１３の幅方向両側方に装着者の脚周りに位置する二箇所の脚周り部１４、１４とを形成するおむつ本体部２と、これに取り付けられた吸収性本体部１と、を備えるトランクス型おむつ１００において、おむつ本体部２は、腹側部１１側の一方の脚周り部１４から、同側の他方の脚周り部１４に亘って、股下部１３において背側部１２側に凸となるように曲線状に湾曲してなる前側弾性部材１４１と、背側部１２側の一方の脚周り部１４から、同側の他方の脚周り部１４に亘って、股下部１３において腹側部１１側に凸となるように曲線状に湾曲してなる後側弾性部材１４２と、を備える。【選択図】図１
2006230920.tif 000002
【特許請求の範囲】
【請求項１】
装着者の腹側に位置する腹側部と、装着者の背側に位置する背側部と、前記腹側部と前記背側部の間であって装着者の股下に位置する股下部と、前記腹側部と前記背側部の間であって前記股下部の幅方向両側方に装着者の脚周りに位置する二箇所の脚周り部とを形成するおむつ本体部と、吸収体を有し、前記おむつ本体部に取り付けられた吸収性本体部と、を備えるトランクス型おむつにおいて、
前記おむつ本体部は、
前記腹側部側の一方の脚周り部から、前記腹側部側の他方の脚周り部に亘って、前記股下部において前記背側部側に凸となるように曲線状に湾曲してなる前側弾性部材と、
前記背側部側の一方の脚周り部から、前記背側部側の他方の脚周り部に亘って、前記股下部において前記腹側部側に凸となるように曲線状に湾曲してなる後側弾性部材と、を備えることを特徴とするトランクス型おむつ。
【請求項２】
請求項１に記載のトランクス型おむつにおいて、
前記二箇所の脚周り部は、それぞれ、装着者の鼠蹊部に位置する上側脚周り部と、装着者の大腿部に位置する下側脚周り部と、を備え、
前記下側脚周り部に設けられた前記前側弾性部材及び前記後側弾性部材の配置間隔は、前記上側脚周り部に設けられた前記前側弾性部材及び前記後側弾性部材の配置間隔よりも狭くなるように設けられていることを特徴とするトランクス型おむつ。
【請求項３】
請求項１又は２に記載のトランクス型おむつにおいて、
前記前側弾性部材と、前記後側弾性部材とは、前記股下部で交差することを特徴とするトランクス型おむつ。
【請求項４】
請求項１〜３の何れか一項に記載のトランクス型おむつにおいて、
前記おむつ本体部は、
前記腹側部の前記吸収性本体部と重なる位置に、腰周り方向に沿って配された腹側弾性部材を備えることを特徴とするトランクス型おむつ。
【請求項５】
請求項４に記載のトランクス型おむつにおいて、
前記腹側弾性部材が前記背側部側に凸となるように曲線状に湾曲してなる弾性部材であることを特徴とするトランクス型おむつ。
【請求項６】
請求項４に記載のトランクス型おむつにおいて、
前記腹側弾性部材が帯状の弾性部材であることを特徴とするトランクス型おむつ。
【請求項７】
請求項１〜３の何れか一項に記載のトランクス型おむつにおいて、
前記おむつ本体部は、
前記腹側部と前記背側部とからなり、装着者の腰周りに位置する腰周り部を備え、
当該腰周り方向の端部どうしが、当該端部どうしを互いに係止離脱可能な係止部によって装着者の腹側部側で接続されることを特徴とするトランクス型おむつ。
【発明の詳細な説明】
【技術分野】
【０００１】
本発明は、トランクス型おむつに関する。
【背景技術】
【０００２】
従来、装着者の脚周りを覆う脚周り部と、装着者の腰周りを覆う腰周り部とを備えるパンツタイプのおむつとして、例えば、トランクス型の紙おむつが知られている（例えば、特許文献１参照）。当該トランクス型の紙おむつの場合、装着者の脚周りに位置する脚周り部に設けられた弾性部材によって、装着者の脚周りに紙おむつを固定することにより尿などの体液の漏れを防止するものであった。
【特許文献１】特開２０００−９３４６１号公報
【発明の開示】
【発明が解決しようとする課題】
【０００３】
ところで、人間の脚は、寛骨と大腿骨によって構成される股関節を軸にして前後、左右、上下等に動かされる。即ち、正面視略逆三角形状からなる股関節の二斜辺を軸に動かされるものである。
しかしながら、上述のトランクス型の紙おむつの場合、当該紙おむつの脚周り部には、脚周り開口部と略平行に弾性部材が設けられているため、装着者が脚を動かす際に軸となる方向と、弾性部材が配されている方向とが一致せず、これにより、装着者の脚周りにおいて紙おむつの脚周り部が上方にずり上がり、装着感を低下させてしまうという問題があった。また、脚周り部が上がってしまうと紙おむつが装着者に適切にフィットしないこととなり、脚周りに形成された隙間から尿などの体液が漏れてしまうという問題があった。
【０００４】
そこで、本発明の課題は、漏れを防止するとともに、快適な装着感のトランクス型おむつを提供することである。
【課題を解決するための手段】
【０００５】
以上の課題を解決すべく、請求項１に記載の発明は、装着者の腹側に位置する腹側部と、装着者の背側に位置する背側部と、前記腹側部と前記背側部の間であって装着者の股下に位置する股下部と、前記腹側部と前記背側部の間であって前記股下部の幅方向両側方に装着者の脚周りに位置する二箇所の脚周り部とを形成するおむつ本体部と、吸収体を有し、前記おむつ本体部に取り付けられた吸収性本体部と、を備えるトランクス型おむつにおいて、前記おむつ本体部は、前記腹側部側の一方の脚周り部から、前記腹側部側の他方の脚周り部に亘って、前記股下部において前記背側部側に凸となるように曲線状に湾曲してなる前側弾性部材と、前記背側部側の一方の脚周り部から、前記背側部側の他方の脚周り部に亘って、前記股下部において前記腹側部側に凸となるように曲線状に湾曲してなる後側弾性部材と、を備えることを特徴とする。
【０００６】
ここで、「幅方向」とは、腹側部から股下部を挟んで背側部に亘る方向に略直交する方向である。
【０００７】
請求項２に記載の発明は、請求項１に記載のトランクス型おむつにおいて、前記二箇所の脚周り部は、それぞれ、装着者の鼠蹊部に位置する上側脚周り部と、装着者の大腿部に位置する下側脚周り部と、を備え、前記下側脚周り部に設けられた前記前側弾性部材及び前記後側弾性部材の配置間隔は、前記上側脚周り部に設けられた前記前側弾性部材及び前記後側弾性部材の配置間隔よりも狭くなるように設けられていることを特徴とする。
【０００８】
請求項３に記載の発明は、請求項１又は２に記載のトランクス型おむつにおいて、前記前側弾性部材と、前記後側弾性部材とは、前記股下部で交差することを特徴とする。
【０００９】
請求項４に記載の発明は、請求項１〜３の何れか一項に記載のトランクス型おむつにおいて、前記おむつ本体部は、前記腹側部の前記吸収性本体部と重なる位置に、腰周り方向に沿って配された腹側弾性部材を備えることを特徴とする。
【００１０】
請求項５に記載の発明は、請求項４に記載のトランクス型おむつにおいて、前記腹側弾性部材が前記背側部側に凸となるように曲線状に湾曲してなる弾性部材であることを特徴とする。
【００１１】
請求項６に記載の発明は、請求項４に記載のトランクス型おむつにおいて、前記腹側弾性部材が帯状の弾性部材であることを特徴とする。
【００１２】
請求項７に記載の発明は、請求項１〜３の何れか一項に記載のトランクス型おむつにおいて、前記おむつ本体部は、前記腹側部と前記背側部とからなり、装着者の腰周りに位置する腰周り部を備え、当該腰周り方向の端部どうしが、当該端部どうしを互いに係止離脱可能な係止部によって装着者の腹側部側で接続されることを特徴とする。
【発明の効果】
【００１３】
請求項1に記載の発明によると、トランクス型おむつが、装着者の脚周りにおいて曲線状に湾曲した弾性部材で固定されることにより、当該トランクス型おむつが、装着者の縦及び横方向の脚の動きに容易に追従することとなって、装着者に好適にフィットし、漏れを好適に防止するとともに、快適な装着感をもたらすことができる。
【００１４】
請求項２に記載の発明によると、請求項１に記載の発明の効果が得られるのは無論のこと、特に、上側脚周り部に設けられた前側弾性部材及び後側弾性部材の伸縮力によって、装着者の鼠蹊部においてトランクス型おむつを適度にフィットさせると同時に、大腿部においてはさらに強い力で下側脚周り部を密着させることができることとなって、脚周りからの漏れをさらに確実に防止することができるのみならず、大腿部においてトランクス型おむつがずり上がることがなくなり、より快適な装着感をもたらすことができる。
【００１５】
請求項３に記載の発明によると、請求項１又は２に記載の発明の効果が得られるのは無論のこと、特に、装着者の股下部で前側弾性部材と後側弾性部材とが交差することによって、背側部から腹側部方向に前側弾性部材による力が加わり、さらに、腹側部から背側部方向に後側弾性部材による力が加わって、前後方向から略対向する方向に力が加わることとなる。
これにより、トランクス型おむつの股下部でのフィット感を更に向上させることができる。
【００１６】
請求項４に記載の発明によると、請求項１〜３の何れか一項に記載の発明の効果が得られるのは無論のこと、特に、トランクス型おむつの腹側部に腹側弾性部材が配されているので、トランクス型おむつの腹側部が装着者の腹部により密着することとなって、フィット感を向上させることができるのみならず、尿などの体液の漏れをより確実に防止することができる。
【００１７】
請求項５に記載の発明によると、請求項４に記載の発明の効果が得られるのは無論のこと、特に、腹側弾性部材が背側部側に凸となるように曲線状に湾曲してなることによって、より確実にトランクス型おむつが装着者の腹部に密着することとなって、フィット感を向上させることができ、体液の漏れを更に確実に防止することができる。
【００１８】
請求項６に記載の発明によると、請求項４に記載の発明の効果が得られるのは無論のこと、特に、腹側弾性部材が帯状の形状からなることによって、より広範囲に亘り腹側部を装着者の腹部に密着させることができることとなって、体液の漏れを更に確実に防止することができる。
【００１９】
請求項７に記載の発明によると、請求項１〜３の何れか一項に記載の発明の効果が得られるのは無論のこと、特に、おむつ本体部の端部どうしが、係止部によって装着者の腹側部側で接続されることにより、当該係止部によりおむつ本体部の装着者の身体に対するフィット性の調節、即ち、おむつ本体部による身体の締め付け力の調節を適正に行うことができる。
また、おむつ本体部の接続箇所が一箇所であるため、トランクス型おむつの外観をよりすっきりとしたものとすることができる。
【発明を実施するための最良の形態】
【００２０】
［実施形態１］
以下に本発明を適用した第１の実施形態のトランクス型おむつ（以下、「おむつ」という）１００について、図１、２を用いて説明する。ここで、図１は、本発明を適用した実施形態１のおむつ１００の展開図であって、図２は、おむつ１００を組み立てた斜視図である。
【００２１】
図１に示すように、おむつ１００は、吸収性本体部１と、当該吸収性本体部１が取り付けられるとともに、装着時に装着者の腹側に位置する腹側部１１と、装着者の背側に位置する背側部１２と、腹側部１１と背側部１２の間に位置し、装着者の股下に位置する股下部１３と、腹側部１１と背側部１２の間に位置するとともに股下部１３の幅方向両側方に設けられ、装着者の脚周りに位置する二箇所の脚周り部１４、１４と、腹側部１１と背側部１２とからなり、装着者の腰周りに位置する腰周り部１５と、を形成するおむつ本体部２と、を備えている。
【００２２】
吸収性本体部１は、吸収体１ａと、当該吸収体１ａを包装してなる透液性のトップシート１ｂと、等を備えて構成され、腹側部１１から両脚の間の股下部１３を通り背側部１２に亘る位置に装着されている。
【００２３】
吸収体１ａは、例えば、綿やパルプ等の吸収性素材や、繊維或いはフィルム等のシート状基材と高吸収性ポリマーのような高吸水性樹脂とが組み合わされて形成された吸収体コア（図示略）が、透液性のクレープ紙（図示略）等により覆われて構成されている。吸収体１ａは、単層構造であっても良いし、複数層に分かれた構造でも構わない。
【００２４】
トップシート１ｂは、おむつ１００を装着した際に人体に接する面に設けられ、体液を受けて、吸収体１ａまで輸送する役割を果たす、透液性のシートである。
透液性シートとしては、例えば、有孔または無孔の不織布や、多孔性プラスチックシートなどにより形成されるものが挙げられる。不織布を構成する素材繊維としては、天然繊維、化学繊維のいずれを用いてもよい。
天然繊維の例としては、綿、セルロース（木材パルプ）、羊毛、絹、麻等が挙げられる。
また、化学繊維の例としては、ポリエチレン（ＰＥ）やポリプロピレン（ＰＰ）等のオレフィン系、ポリエステル（ＰＥＴ）を含むポリエステル系、ナイロンやアラミド等のポリアミド系、ポリアクリロニトリル（ＰＡＮ）等のアクリル系といった合成繊維の他、レーヨンやキュプラ等の再生繊維、酢酸セルロースやプロミックス等の半合成繊維等を挙げることができる。また、ＰＥ／ＰＰ混合不織布、ＰＥ／ＰＥＴ混合不織布の他、上記素材を適宜組み合わせたバイコンポーネント繊維（混合繊維）等も用いることができる。
【００２５】
これらの繊維素材から不織布を製造する方法としては、公知の方法を適宜用いることができ、例えば、高圧水流で繊維同士を絡ませて接合させるウォーターパンチ法や、繊維を製紙と同様の方法で製造する抄紙法等の湿式法、接着剤で接合させるケミカルボンド法や、低融点ポリマー及び自己溶融繊維で接合させるサーマルボンド法等の乾式法、特殊針でニードリングして接合させるニードルパンチ法、ポリマー溶液を口金より噴出させ、網状フィブリルを形成させるフラッシュ紡糸法などの直接式法等の方法が挙げられる。また、これらの方法を組み合わせた方法等によっても不織布を製造することができる。
【００２６】
おむつ本体部２は、おむつ１００装着時に外側に接する面側に位置し、不透液性のバックシート３を構成する第一の外面シート３ａと、同じくバックシート３を構成し、おむつ１００装着時に人体に接する面側に位置する第二の外面シート３ｂと、を備えて構成され、第一の外面シート３ａと第二の外面シート３ｂの間に、例えば糸ゴム等の弾性部材が所定の位置に配設される。
【００２７】
第一の外面シート３ａ及び第二の外面シート３ｂを構成する不透液性シートとしては、例えば、ポリエチレン等の少なくとも遮水性を有するシート材であって、ムレ防止の観点から透湿性を有するシート材であることが好ましい。この遮水性と透湿性とを具備するシート材としては、例えば、ポリエチレンやポリプロピレン等のオレフィン系樹脂中に無機充填剤を溶融混練してシートを成形した後、一軸または二軸方向に延伸することにより得られる微多孔性シート材が好適に用いられる。
またその他にも、不透液性を有するフィルム層と、通気性を有する不織布層からなるラミ不織布を用いても良い。ラミ不織布とは、例えばポリエチレンシート等に不織布を積層した、ラミネート不織布と呼ばれる不織布のことであり、不透液性と通気性を併せ持つ不織布である。
【００２８】
おむつ本体部２の二箇所の脚周り部１４、１４には弾性部材が配される。具体的には、腹側部１１側の一方の脚周り部１４から、腹側部１１側の他方の脚周り部１４に亘って、股下部１３において背側部１２側に凸となるように曲線状に湾曲してなる前側弾性部材１４１と、背側部１２側の一方の脚周り部１４から、腹側部１１側の他方の脚周り部１４に亘って、股下部１３において腹側部１１側に凸となるように曲線状に湾曲してなる後側弾性部材１４２が配される。
【００２９】
更に、前側弾性部材１４１の凸型形状の曲線の頂点は、後側弾性部材１４２の凸型形状の曲線の頂点よりも背側部１２側に位置する。即ち、前側弾性部材１４１と、後側弾性部材１４２とは、股下部１３で交差する。
【００３０】
二箇所の脚周り部１４、１４は、それぞれさらに、装着者の鼠蹊部に位置する上側脚周り部１６と、装着者の大腿部に位置する下側脚周り部１７と、を備えて構成される。
ここで、「鼠蹊部」とは、装着者の下腹部のうち、脚に接する部分であって、具体的には大腿部の付け根部分（脚ぐり）を意味する。
【００３１】
そして、下側脚周り部１７に設けられた前側弾性部材１４１及び後側弾性部材１４２の配置間隔は、上側脚周り部１６に設けられた前側弾性部材１４１及び後側弾性部材１４２の配置間隔よりも狭くなるように設けられている。即ち、鼠蹊部（脚ぐり）よりもより強い力で大腿部を固定することができるように、前側弾性部材１４１及び後側弾性部材１４２が設けられている。
【００３２】
さらに、腹側部１１のおむつ本体部２に取り付けられた吸収体本部１と重なる位置に、腹周り方向に沿って腹側弾性部材１５１が配設される。
腹側弾性部材１５１は、例えば、背側部１２側に凸となるように曲線状に湾曲してなる弾性部材からなり、腹側部１１の幅方向に亘って設けられてなる。
【００３３】
また、腰周り開口部１５ａを形成する腰周り部１５には、腰周り弾性部材１５２が配設されている。腰周り部１５に腰周り弾性部材１５２が配設されていることにより、腰周り部１５でおむつ１００を好適に装着者の腰周りに密着させることができる。
【００３４】
以上に説明したおむつ１００によると、装着者の鼠蹊部から大腿部に延びたおむつ本体部２の脚周り部１４、１４に設けられ、曲線状に湾曲した前側弾性部材１４１、後側弾性部材１４２で装着者の脚周りが固定されることにより、当該おむつ１００が、装着者の縦及び横方向の脚の動きに容易に追従することとなって、装着者に好適にフィットし、漏れを好適に防止するとともに、快適な装着感をもたらすことができる。
【００３５】
また、上側脚周り部１６に設けられた前側弾性部材１４１及び後側弾性部材１４２の伸縮力によって、装着者の脚ぐりにおいておむつ１００を適度にフィットさせると同時に、大腿部においてはさらに強い力で下側脚周り部１７を密着させることができることとなって、脚周りからの漏れをさらに確実に防止することができるのみならず、大腿部においておむつ１００がずり上がることがなくなり、より快適な装着感をもたらすことができる。
【００３６】
そして、装着者の股下部１３で前側弾性部材１４１と後側弾性部材１４２とが交差することによって、背側部１２から腹側部１１方向に前側弾性部材１４１による力が加わり、さらに、腹側部１１から背側部１２方向に後側弾性部材１４２による力が加わって、前後方向から略対向する方向に力が加わることとなる。これにより、おむつ１００の股下部１４でのフィット感を更に向上させることができる。
【００３７】
その上、おむつ１００の腹側に腹側弾性部材１５１が配されることにより、おむつ１００の腹側部１１が装着者の腹部により密着してなることとなり、フィット感を向上させることができるのみならず、腰周り部１５の腰周り開口部１５ａからの尿などの体液の漏れをより確実に防止することができる。
更に、腹側弾性部材１５１が背側部１１側に凸となるように曲線状に湾曲してなることにより、より確実に腹側部１１を装着者の腹部に密着させることができることとなって、より高いフィット感をもたらし、体液の漏れを更に防止することができる。
【００３８】
［実施形態２］
次に、第２の実施形態のトランクス型おむつ（以下、「おむつ」という）２００について、図３を用いて説明する。ここで、図３は、本発明を適用した実施形態２のおむつ２００の斜視図である。
また、実施形態２のおむつ２００は、腹側弾性部材２５１の形状が上記実施形態１のおむつ１００と異なるものであって、それ以外の点ではおむつ１００と略同様であるので、同様の構成には同一の符号を付してその説明を省略する。
【００３９】
図３に示すように、おむつ２００は、吸収性本体部１と、当該吸収性本体部１が取り付けられるとともに、装着時に装着者の腹側に位置する腹側部１１と、装着者の背側に位置する背側部１２と、腹側部１１と背側部１２の間に位置し、装着者の股下に位置する股下部１３と、腹側部１１と背側部１２の間に位置するとともに股下部１３の幅方向両側方に設けられ、装着者の脚周りに位置する二箇所の脚周り部１４、１４と、腹側部１１と背側部１２とからなり、装着者の腰周りに位置する腰周り部１５と、を形成するおむつ本体部２と、を備えている。
【００４０】
おむつ本体部２の二箇所の脚周り部１４、１４には前側弾性部材１４１と後側弾性部材１４２が配される。
二箇所の脚周り部１４、１４は、それぞれさらに、装着者の鼠蹊部に位置する上側脚周り部１６と、装着者の大腿部に位置する下側脚周り部１７と、を備えて構成される。
【００４１】
さらに、腹側部１１のおむつ本体部２に取り付けられた吸収体本部１と重なる位置に、腰周り方向に沿って腹側弾性部材２５１が配設される。
腹側弾性部材２５１は、例えば、帯状の弾性部材からなり、その長手方向がおむつ本体部２の幅方向と平行になるように設けられてなる。
【００４２】
また、腰周り開口部１５ａを形成する腰周り部１５には、腰周り弾性部材１５２が配設されている。腰周り部１５に腰周り弾性部材１５２が配設されていることにより、腰周り部１５でおむつ２００を好適に装着者の腰周りに密着させることができる。
【００４３】
以上に説明したおむつ２００によると、おむつ２００の腹側に腹側弾性部材２５１が配されることにより、おむつ２００の腹側部１１が装着者の腹部により密着してなることとなり、フィット感を向上させることができるのみならず、腰周り部１５の腰周り開口部１５ａからの尿などの体液の漏れをより確実に防止することができる。
更に、腹側弾性部材２５１が帯状の形状からなることによって、広範囲に亘り腹側部１１を装着者の腹部に密着させることができることとなって、より高いフィット感をもたらし、体液の漏れを更に確実に防止することができる。
【００４４】
［実施形態３］
次に、第３の実施形態のトランクス型おむつ（以下、「おむつ」という）３００について、図４を用いて説明する。ここで、図４は、本発明を適用した実施形態３のおむつ３００の斜視図である。
また、実施形態３のおむつ３００は、おむつ本体部３０２が装着者の腹側で接合してなる点以外の点では上記実施形態１と略同様であるので、同様の構成には同一の符号を付してその説明を省略する。
【００４５】
図４に示すように、おむつ３００は、吸収性本体部１と、当該吸収性本体部１が取り付けられるとともに、装着時に装着者の腹側に位置する腹側部１１と、装着者の背側に位置する背側部１２と、腹側部１１と背側部１２の間に位置し、装着者の股下に位置する股下部１３と、腹側部１１と背側部１２の間に位置するとともに股下部１３の幅方向両側方に設けられ、装着者の脚周りに位置する二箇所の脚周り部１４、１４と、腹側部１１と背側部１２とからなり、装着者の腰周りに位置する腰周り部１５と、を形成するおむつ本体部３０２と、を備えている。
【００４６】
おむつ本体部３０２は、おむつ３００装着時に外側に接する面側に位置し、不透液性のバックシート３０３を構成する第一の外面シート３０３ａと、同じくバックシート３０３を構成し、第一の外面シート３０３ａと反対側の面であって、おむつ３００装着時に人体に接する面側に位置する第二の外面シート３０３ｂと、を備えて構成され、第一の外面シート３０３ａと第二の外面シート３０３ｂの間に、例えば糸ゴム等の弾性部材が所定の位置に配設される。
第一の外面シート３０３ａと第二の外面シート３０３ｂとしては、例えば第一の外面シート３ａ及び第二の外面シート３ｂに用いたシート材を適用することができる。
【００４７】
おむつ本体部３０２の二箇所の脚周り部１４、１４には前側弾性部材１４１と後側弾性部材１４２が配される。
二箇所の脚周り部１４、１４は、それぞれさらに、装着者の鼠蹊部に位置する上側脚周り部１６と、装着者の大腿部に位置する下側脚周り部１７と、を備えて構成される。
【００４８】
おむつ本体部３０２の腰周り部１５の腰周り方向の端部１５ｂには、当該おむつ本体部３０２の表面、即ち、第一の外面シート３０３ａに係止離脱自在なファスニングテープ３０４が設けられている。従って、ファスニングテープ３０４と第二の外面シート３０３ａによって、おむつ本体部３０２の端部１５ｂ、１５ｂどうしを互いに係止離脱自在な係止部が形成される。そして、当該端部１５ｂ、１５ｂどうしは、この係止部によって、装着者の腹側部１１側で接続される。
【００４９】
そして、腰周り開口部１５ａを形成する腰周り部１５には、腰周り弾性部材１５３が配設されている。腰周り部１５に腰周り弾性部材１５３が配設されていることにより、腰周り部１５でおむつ３００を好適に装着者の腰周りに密着させることができる。
【００５０】
以上に説明したおむつ３００によれば、おむつ本体部３０２の腰周り方向の端部１５ｂ、１５ｂどうしが、ファスニングテープ３０４によって装着者の腹側部１１側にて接続されることにより、このファスニングテープ３０４によりおむつ本体部３０２の装着者の身体に対するフィット性の調節、即ち、おむつ本体部３０２による身体の締め付け力の調節を適正に行うことができる。
その上、おむつ本体部３０２の接続箇所が一つであるので、おむつ３００の外観をよりすっきりとしたものとすることができる。
【００５１】
なお、本発明は、上記実施形態１、２及び３に限定されることなく、本発明の趣旨を逸脱しない範囲において、種々の改良並びに設計の変更を行っても良い。
例えば、前側弾性部材１４１、後側弾性部材１４２、腰周り弾性部材１５２、１５３、腹側弾性部材１５１の本数は、図示された本数に限られるものではなく、例えば、当該トランクス型おむつ１００、２００、３００のサイズや、腰周りや脚周りの締め付け力等に応じて適宜変更しても良い。
また、前側弾性部材１４１及び後側弾性部材１４２、腰周り弾性部材１５２、１５３、腹側弾性部材１５１として糸ゴムを例示したが、これに限られるものではなく、例えば、平板状のゴムであっても良いし、ゴム以外の弾性部材であっても良い。
【００５２】
さらに、上記実施の形態では、おむつ本体部２、３０２の構成を、２枚のバックシート、即ち、第一の外面シート３ａ及び第二の外面シート３ｂ若しくは第一の外面シート３０３ａ及び第二の外面シート３０３ｂで形成されるものとしたが、これに限られるものではなく、例えば１枚、若しくは３枚、それ以上の枚数のシートで形成することとしても構わない。
【図面の簡単な説明】
【００５３】
【図１】本発明を適用した実施形態１のおむつ１００の展開図である。
【図２】おむつ１００を組み立てた斜視図である。
【図３】本発明を適用した実施形態２のおむつ２００の斜視図である。
【図４】本発明を適用した実施形態３のおむつ３００の斜視図である。
【符号の説明】
【００５４】
１  吸収性本体部
１ａ  吸収体
１ｂ  トップシート
２、３０２  おむつ本体部
３、３０３  バックシート
３ａ、３０３ａ  第一の外面シート
３ｂ、３０３ｂ  第二の外面シート
１１  腹側部
１２  背側部
１３  股下部
１４  脚周り部
１４１  前側弾性部材
１４２  後側弾性部材
１５  腰周り部
１５ａ  腰周り開口部
１５ｂ  端部
１５１、２５１  腹側弾性部材
１５２、１５３  腰周り弾性部材
１６  上側脚周り部
１７  下側脚周り部
３０４  ファスニングテープ（係止部）
１００、２００、３００  おむつ（トランクス型おむつ）
【図１】
2006230920.tif 000003
【図２】
2006230920.tif 000004
【図３】
2006230920.tif 000005
【図４】
2006230920.tif 000006